(57)【要約】【課題】商品載置棚に載置された商品を見やすくするとともに、該商品載置棚への商品の取出・補充作業を簡易なものとすること。【解決手段】前面１２が接客面を構成し、後面１４に開口１４ａが形成されたケース本体１０と、ケース本体１０の内部の収納室１１に上下方向に沿って複数段設けられた商品載置棚２０とを備えたショーケースにおいて、商品載置棚２０は、上面が商品載置面を構成し、常態においては収納室１１に設置された収納状態となる一方、後方に向けて引出操作された場合には、開口１４ａを通じて後方に引き出された引出状態となる態様で前後方向にスライド移動可能な棚板２３と、棚板２３が収納状態となる場合には、棚板２３を商品載置面が前方に向かうに連れて漸次下方に傾斜する傾斜姿勢にさせる一方、棚板２３が引出状態となる場合には、該棚板２３を商品載置面が略水平となる水平姿勢にさせる姿勢調整部材５０とを備えている。【選択図】図１
2018068568.tif 000002
【特許請求の範囲】
【請求項１】
前面が接客面を構成し、かつ後面に開口が形成された箱状のケース本体と、
前記ケース本体の内部に形成された収納室に上下方向に沿って複数段設けられた商品載置棚と
を備え、前記接客面を通じて前記商品載置棚に載置された商品を視認させるショーケースにおいて、
前記商品載置棚は、
上面が前記商品を載置する商品載置面を構成し、かつ常態においては前記収納室に設置された収納状態となる一方、後方に向けて引出操作された場合には、前記開口を通じて後方に引き出された引出状態となる態様で前後方向にスライド移動可能な棚板と、
前記棚板が前記収納状態となる場合には、該棚板を前記商品載置面が前方に向かうに連れて漸次下方に傾斜する傾斜姿勢にさせる一方、前記棚板が前記引出状態となる場合には、該棚板を前記商品載置面が略水平となる水平姿勢にさせる姿勢調整手段と
を備えたことを特徴とするショーケース。
【請求項２】
前記姿勢調整手段は、前記棚板の後端部に着脱可能に取り付けられ、かつ下端部が後方に向かうに連れて漸次下方に傾斜する傾斜面を有する姿勢調整部材を備えたことを特徴とする請求項１に記載のショーケース。
【請求項３】
前記姿勢調整部材は、樹脂材により構成されていることを特徴とする請求項２に記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部に収納室が設けられている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２０１６−９６８４３号公報
【発明の概要】
【発明が解決しようとする課題】
【０００７】
上述した特許文献１に提案されているショーケースでは、商品載置棚を構成する棚板が前後方向にスライド移動可能に設けられており、該棚板が後方に引出操作されることで上記開口を通じてケース本体の外部に露出し、商品の取り出し及び補充を容易なものとしている。
【０００８】
ところが、上記ショーケースでは、棚板は前後方向にスライド移動可能に設けられているだけなので、棚板が前方に向けてスライド移動して収納室に配置される場合も水平姿勢に維持されることとなる。そのため、商品の種類によっては、接客面を通じて商品載置棚に載置された商品が見えづらくなる虞れがあった。
【０００９】
本発明は、上記実情に鑑みて、商品載置棚に載置された商品を見やすくするとともに、該商品載置棚への商品の取出・補充作業を簡易なものとすることができるショーケースを提供することを目的とする。
【課題を解決するための手段】
【００１０】
上記目的を達成するために、本発明に係るショーケースは、前面が接客面を構成し、かつ後面に開口が形成された箱状のケース本体と、前記ケース本体の内部に形成された収納室に上下方向に沿って複数段設けられた商品載置棚とを備え、前記接客面を通じて前記商品載置棚に載置された商品を視認させるショーケースにおいて、前記商品載置棚は、上面が前記商品を載置する商品載置面を構成し、かつ常態においては前記収納室に設置された収納状態となる一方、後方に向けて引出操作された場合には、前記開口を通じて後方に引き出された引出状態となる態様で前後方向にスライド移動可能な棚板と、前記棚板が前記収納状態となる場合には、該棚板を前記商品載置面が前方に向かうに連れて漸次下方に傾斜する傾斜姿勢にさせる一方、前記棚板が前記引出状態となる場合には、該棚板を前記商品載置面が略水平となる水平姿勢にさせる姿勢調整手段とを備えたことを特徴とする。
【００１１】
また本発明は、上記ショーケースにおいて、前記姿勢調整手段は、前記棚板の後端部に着脱可能に取り付けられ、かつ下端部が後方に向かうに連れて漸次下方に傾斜する傾斜面を有する姿勢調整部材を備えたことを特徴とする。
【００１２】
また本発明は、上記ショーケースにおいて、前記姿勢調整部材は、樹脂材により構成されていることを特徴とする。
【発明の効果】
【００１３】
本発明によれば、商品載置棚を構成する姿勢調整手段が、棚板が収納状態となる場合には、該棚板を商品載置面が前方に向かうに連れて漸次下方に傾斜する傾斜姿勢にさせるので、ケース本体の前面を通じて商品載置面に載置された商品を見やすくすることができる。また姿勢調整手段が、棚板が引出状態となる場合には、該棚板を商品載置面が略水平となる水平姿勢にさせるので、例えば店舗等の従業員が商品載置棚から商品を容易に取り出すことができるとともに該商品載置棚に商品を容易に載置することができる。従って、商品載置棚に載置された商品を見やすくするとともに、該商品載置棚への商品の取出・補充作業を簡易なものとすることができるという効果を奏する。
【図面の簡単な説明】
【００１４】
【図１】図１は、本発明の実施の形態であるショーケースの内部構造を右側から見た場合を模式的に示す断面側面図である。
【図２】図２は、収納室における複数の商品載置棚のうち最上段の商品載置棚を右側上方より見た場合を示す斜視図である。
【図３】図３は、収納室における複数の商品載置棚のうち最上段の商品載置棚を右側下方より見た場合を示す斜視図である。
【図４】図４は、図２及び図３に示したブラケット部材を示す斜視図である。
【図５】図５は、図４に示したブラケット部材の平面図である。
【図６】図６は、図４に示したブラケット部材の背面図である。
【図７】図７は、右側のブラケット部材が右側の棚柱に支持される状態を示す左側面図である。
【図８】図８は、右側のブラケット部材が右側の棚柱に支持される状態を示す平面図である。
【図９】図９は、係止片が第１係止孔に挿入されて係止される状態を示す模式図である。
【図１０】図１０は、図２及び図３に示した受部材を示す斜視図である。
【図１１】図１１は、商品載置棚の要部を示す斜視図である。
【図１２】図１２は、図１１に示したレール部材を示す斜視図である。
【図１３】図１３は、図２及び図３に示した棚板を示す斜視図である。
【図１４】図１４は、図１３に示した棚板に設けられた係合部材及び姿勢調整部材の分解斜視図である。
【図１５】図１５は、図２に示した商品載置棚の右側後方上部より見た場合を示す斜視図である。
【図１６】図１６は、図１５に示した商品載置棚を右方から見た断面側面図である。
【図１７】図１７は、図２に示した商品載置棚の棚板が引出状態となる場合を示す斜視図である。
【図１８】図１８は、図１７に示した商品載置棚を右方から見た断面側面図である。
【発明を実施するための形態】
【００１５】
以下に添付図面を参照して、本発明に係るショーケースの好適な実施の形態について詳細に説明する。
【００１６】
図１は、本発明の実施の形態であるショーケースの内部構造を右側から見た場合を模式的に示す断面側面図である。ここで例示するショーケースは、例えばコンビニエンスストア等の店舗のカウンタ上に設置されて商品を陳列するものであり、ケース本体１０を備えている。
【００１７】
ケース本体１０は、箱状の形態を成しており、内部に収納室１１が形成されている。このケース本体１０は、収納室１１を構成する前面１２が左右両側面１３とともに接客面を構成し、かつ該収納室１１を構成する後面１４に開口（以下、後面開口ともいう）１４ａが形成されている。
【００１８】
かかるケース本体１０では、収納室１１を構成する各面１２等は断熱構造を有する透明なガラス材や樹脂材により構成されており、収納室１１が外部から視認可能である。また、接客面を構成する前面１２は、上方に向かうに連れて漸次後方に湾曲している。
【００１９】
上記ケース本体１０における収納室１１には、複数の商品載置棚２０が上下方向に沿って複数段並べて配設されている。
【００２０】
図２及び図３は、それぞれ収納室１１における複数の商品載置棚２０のうち最上段の商品載置棚２０を示すものであり、図２は、右側上方より見た場合を示す斜視図であり、図３は、右側下方より見た場合を示す斜視図である。
【００２１】
これら図２及び図３に示すように、商品載置棚２０は、ブラケット部材２１、受部材２２及び棚板２３を備えて構成されている。
【００２２】
ブラケット部材２１は、図４にも示すように左右一対のものである。このようなブラケット部材２１は、互いの内面が対向する態様で棚柱３０（図１参照）に支持されている。尚、ここでいう「内面」とは、右側のブラケット部材２１では左面をいい、左側のブラケット部材２１では右面をいう。
【００２３】
棚柱３０は、収納室１１の後方側において互いの内面が対向する態様で立設された左右一対のものである。これら棚柱３０は、第１係止孔３０１（図７参照）及び第２係止孔３０２（図７参照）が形成されている。尚、ここでいう「内面」とは、右側の棚柱３０では左面をいい、左側の棚柱３０では右面をいう。
【００２４】
第１係止孔３０１は、各棚柱３０の内面に上下方向に沿って所定間隔毎に形成された矩形状のものである。つまり各棚柱３０の内面においてそれぞれの高さレベルに形成された第１係止孔３０１同士が左右一対となる態様で互いに対向して形成されている。
【００２５】
第２係止孔３０２は、各棚柱３０の前面に上下方向に沿って所定間隔毎に形成されている。これら第２係止孔３０２は、棚柱３０の内面に連続する態様で形成された長孔である。また、第２係止孔３０２では、棚柱３０の内面に開口する部分の上下寸法が棚柱３０の前面に開口する部分の上下寸法よりも大きくなるよう形成されている。
【００２６】
図５及び図６は、それぞれブラケット部材２１を示すものであり、図５は、ブラケット部材２１の平面図であり、図６は、ブラケット部材２１の背面図である。
【００２７】
これら図５及び図６にも示すように、上記ブラケット部材２１は、内面に２つのブラケットローラ２１１が回転可能に配設されており、係止片２１２、当接片２１３、係合片２１４、サイドストッパ２１５及び補強板２１６が設けられている。
【００２８】
係止片２１２は、複数（図示の例では３つ）あり、それぞれブラケット部材２１の後端部の舌片状部分を外方、すなわち右側のブラケット部材２１では右方、並びに左側のブラケット部材２１では左方に屈曲させることで形成されている。
【００２９】
これら係止片２１２の基端部分の下端部には切欠２１２ａが形成されている。ここで切欠２１２ａの左右方向の長さは棚柱３０を構成する板金の厚み、すなわち第１係止孔３０１の開口縁部の厚みよりも僅かに大きいものである。
【００３０】
当接片２１３は、ブラケット部材２１における後端部であって係止片２１２よりも前方側となる個所が切り起こされたことにより形成された矩形状部分が上記係止片２１２と同一の方向に屈曲されて形成されたものである。この当接片２１３は、上下方向が長手方向となる長尺状部位である。また、この当接片２１３の下端部には係止突起２１３ａが設けられている。係止突起２１３ａは、当接片２１３の下端縁部が後方に向けて屈曲されることにより形成されたものであり、後方に向けて突出するものである。
【００３１】
係合片２１４は、複数（図示の例では２つ）あり、それぞれがブラケット部材２１の後端部であって係止片２１２の間に後方に向けて突出する態様で形成された平板状部分である。
【００３２】
サイドストッパ２１５は、ブラケット部材２１の前端部において、外方に向けて突出する態様で設けられた棒状のものである。ここで外方とは、右側のブラケット部材２１では右方をいい、左側のブラケット部材２１では左方をいう。
【００３３】
このサイドストッパ２１５は、左右方向が長手方向となる長尺状部材であり、その左右方向の長さは、先端がケース本体１０の側面１３に接することが可能な大きさである。
【００３４】
補強板２１６は、例えば鋼板を屈曲等して構成されたものであり、それぞれブラケット部材２１の内面に取り付けられている。このような補強板２１６は、水平延在部２１６ａと、上延部２１６ｂと、後延部２１６ｃとが連続して形成されている。
【００３５】
水平延在部２１６ａは、前後方向が長手方向となる長尺状部分であり、ブラケットローラ２１１の下方域において前後方向に沿って延在している。上延部２１６ｂは、水平延在部２１６ａの内方端部より上方に向けて延在する部分である。後延部２１６ｃは、水平延在部２１６ａの後端縁部より後方に向かうに連れて漸次下方に傾斜する態様で延在する部分である。
【００３６】
図７及び図８は、それぞれ右側のブラケット部材２１が右側の棚柱３０に支持される状態を示すもので、図７は、左側面図であり、図８は、平面図である。尚、左側のブラケット部材２１は、右側のブラケット部材２１に対して左右方向が異なるだけであるので、ここでは右側のブラケット部材２１の支持される状態について説明し、左側のブラケット部材２１の説明については割愛する。
【００３７】
右側のブラケット部材２１を右側の棚柱３０に対して左方側から近接させて、係止片２１２を第１係止孔３０１に進入させるとともに係止突起２１３ａを第２係止孔３０２に進入させ、その後に、図９に示すように係止片２１２の切欠２１２ａに第１係止孔３０１の下縁部３０１ａが相対的に進入するよう右側のブラケット部材２１を下方に変位させることで、当接片２１３が棚柱３０の前面に接するとともに係合片２１４が棚柱３０の内面に接して右側のブラケット部材２１が右側の棚柱３０に支持される。
【００３８】
受部材２２は、図１０に示すように左右一対のものである。受部材２２は、前後方向が長手方向となる長尺状のものであり、上下方向に沿って延在する受基部２２１と、受基部２２１の上端縁部より内方に向けて延在する受上面部２２２とを有している。ここで内方とは、右側の受部材２２では左方をいい、左側の受部材２２では右方をいう。
【００３９】
受基部２２１の外面には、２つの受部ローラ２２３が回転可能に配設されている。ここで外面とは、右側の受部材２２では右面をいい、左側の受部材２２では左面をいう。
【００４０】
受上面部２２２には、前後方向が長手方向となる受長孔２２４が形成されている。この受長孔２２４は、長手方向の中央部分の幅が、前方部分及び後方部分の幅よりも大きくなるように形成されている。
【００４１】
また、受上面部２２２の後端部には受ストッパ部２２５が形成されている。受ストッパ部２２５は、受上面部２２２の後端部において後方に向けて突出する矩形状部分を上方に向けて屈曲させた後に前方に向けて屈曲させることにより形成されたものである。
【００４２】
このような受部材２２は、図１１に示すように、レール部材２４を介してブラケット部材２１の内面に配設されている。ここでレール部材２４は、図１２に示すように、ブラケットレール部２４ａと棚レール部２４ｂとが互いに接合されて構成されたものである。尚、レール部材２４も、ブラケット部材２１や受部材２２と同様に左右一対のものである。
【００４３】
ブラケットレール部２４ａは、縦断面が略コ字状を成し、前後方向が長手方向となる長尺棒状体である。このブラケットレール部２４ａは、ブラケットローラ２１１の進入を許容し、かつブラケットローラ２１１を転動させるものである。
【００４４】
棚レール部２４ｂは、縦断面が略コ字状を成し、前後方向が長手方向となる長尺棒状体である。この棚レール部２４ｂは、受部ローラ２２３の進入を許容し、かつ受部ローラ２２３を転動させるものである。
【００４５】
このようにレール部材２４は、ブラケットレール部２４ａにブラケットローラ２１１が進入して転動することで、ブラケット部材２１に対して前後方向に沿ってスライド移動可能なものである。
【００４６】
また、受部材２２は、受部ローラ２２３がレール部材２４の棚レール部２４ｂに進入して転動することで、レール部材２４に対して前後方向に対してスライド移動可能なものである。つまり、受部材２２は、レール部材２４を介することで、ブラケット部材２１に内面に対して前後方向に沿ってスライド移動可能に設けられている。
【００４７】
棚板２３は、棚基部２３ａを有している。棚基部２３ａは、例えば鋼板等により構成されており、略平板状の形態を成す部分である。この棚基部２３ａは、その上面が商品を載置するための商品載置面を構成しているとともに、棚規制部２３ｂ及び棚把手部２３ｃが形成されている。
【００４８】
棚規制部２３ｂは、棚基部２３ａの左右両側部に形成された左右一対のものである。これら棚規制部２３ｂは、棚基部２３ａの左端部分及び右端部分をそれぞれ上方に向けて屈曲させることにより上方に向けて延在する態様で形成されている。
【００４９】
棚把手部２３ｃは、棚基部２３ａの後端部における左右方向の中央部分にて上方に向けて延在する態様で形成されている。
【００５０】
上記棚基部２３ａの下面における左右両端部には、図１３及び図１４に示すように、係合部材４０が設けられている。係合部材４０は、係合基部４１と、長尺状突部４２と、フック部４３とを有している。係合基部４１は、前後方向が長手方向となる長尺状平板部材であり、上面が棚基部２３ａの下面に接合する態様で設けられている。
【００５１】
長尺状突部４２は、係合基部４１の左右両端部より下方に向けて突出するものである。長尺状部材は、内方よりも外方の方が下方への延在長さが大きくされている。このような長尺状突部４２の前後長さ及び左右方向の長さは、上記受長孔２２４に進入可能な大きさである。
【００５２】
フック部４３は、係合基部４１の前端部に設けられている。このフック部４３は、係合基部４１より下方に向けて延在した後に前方に向けて延在している。
【００５３】
上記係合部材４０には、姿勢調整部材５０が設けられている。姿勢調整部材５０は、例えばプラスチックのような樹脂材から構成された成形品である。かかる姿勢調整部材５０は、左右一対のものであり、下端部には、後方に向かうに連れて漸次下方に傾斜する傾斜面５１が形成されている。
【００５４】
このような姿勢調整部材５０は、外方の長尺状突部４２の後方側に形成された貫通孔４２ａを貫通するネジＮが、該姿勢調整部材５０に形成された挿通孔５２を挿通して長尺状突部４２間において係合基部４１に接合された取付金４５の締結孔４５ａを通過して該取付金４５に螺合することで、係合部材４０に取り付けられている。つまり、姿勢調整部材５０は、棚板２３の後端部に着脱可能に取り付けられている。
【００５５】
このような棚板２３は、棚基部２３ａのそれぞれの係合部材４０における長尺状突部４２を各受部材２２の受長孔２２４に進入させるようにし、図２及び図３に示すように、フック部４３を受部材２２における受長孔２２４の前縁部に係止させることでこれら受部材２２を跨るようにして該受部材２２に係合している。
【００５６】
かかる棚板２３は、各受部材２２に係合することで、ブラケット部材２１に対して前後方向にスライド移動可能である。つまり、棚板２３は、引出操作された場合には、後面開口１４ａを通じて後方に向けてスライド移動することが可能であり、押出操作された場合には、後面開口１４ａを通じて後方に向けてスライド移動することが可能である。
【００５７】
以上のような構成を有するショーケースにおいて、棚板２３は、押出操作された場合、レール部材２４がブラケット部材２１の前端部に内方に向けて突出する規制片２１７（図３等参照）に当接するとともに、受部材２２の前方側の受部ローラ２２３がレール部材２４における棚レール部２４ｂの前端に設けられた前方ストッパ２４ｂ１に当接する前端位置に配置され（図２参照）、図１に示したような収納室１１に設置された収納状態となる。
【００５８】
このように棚板２３が収納状態となる場合、図１５及び図１６に示すように、姿勢調整部材５０の傾斜面５１の後端部が補強板２１６の後延部２１６ｃに摺接した後に水平延在部２１６ａの上面に載置されることとなり、これにより、棚板２３は、上面（商品載置面）が前方に向かうに連れて漸次下方に傾斜する傾斜姿勢となる。
【００５９】
一方、棚板２３は、引出操作された場合には、後方にスライド移動して、後面開口１４ａを通じて後方に引き出された引出状態となる。
【００６０】
このように棚板２３が引出状態となる場合、図１７及び図１８に示すように、姿勢調整部材５０が補強板２１６の水平延在部２１６ａから離脱することとなり、これにより、棚板２３は、上面（商品載置面）が略水平となる水平姿勢となる。
【００６１】
このように姿勢調整部材５０は、棚板２３が収納状態となる場合には、該棚板２３を商品載置面が前方に向かうに連れて漸次下方に傾斜する傾斜姿勢にさせる一方、棚板２３が引出状態となる場合には、該棚板２３を商品載置面が略水平となる水平姿勢にさせている。
【００６２】
以上説明したように、本発明の実施の形態であるショーケースによれば、姿勢調整部材５０は、棚板２３が収納状態となる場合には、該棚板２３を商品載置面が前方に向かうに連れて漸次下方に傾斜する傾斜姿勢にさせるので、ケース本体１０の前面１２を通じて商品載置面に載置された商品を見やすくすることができる。また姿勢調整部材５０が、棚板２３が引出状態となる場合には、該棚板２３を商品載置面が略水平となる水平姿勢にさせるので、例えば店舗等の従業員が商品載置棚２０から商品を容易に取り出すことができるとともに、該商品載置棚２０に商品を容易に載置することができる。従って、商品載置棚２０に載置された商品を見やすくするとともに、該商品載置棚２０への商品の取出・補充作業を簡易なものとすることができる。
【００６３】
上記ショーケースによれば、姿勢調整部材５０が棚板２３に対して着脱可能に設けられているので、適用される商品載置棚２０の設置高さレベルや収納状態での傾斜角度に応じて好ましい形状の姿勢調整部材５０を用いることができる。
【００６４】
上記ショーケースによれば、姿勢調整部材５０が樹脂材により構成されているので、補強板２１６との間で摩擦等の発生を低減させることができるとともに、金属屑の発生を抑制できる。
【００６５】
上記ショーケースによれば、棚基部２３ａの後端部における左右方向の中央部分にて上方に向けて延在する態様で棚把手部２３ｃが形成されているので、店舗の従業員等は、かかる棚把手部２３ｃを把持して棚板２３を良好に引き出すことができる。
【００６６】
上記ショーケースによれば、商品載置棚２０を構成する棚板２３は、フック部４３を受部材２２の受長孔２２４の前縁部から離脱させることで、受部材２２から容易に取り外すことができ、該棚板２３の清掃等を簡単に行うことができる。
【００６７】
上記ショーケースによれば、ブラケット部材２１は、棚柱３０に対して内方に移動させれば、係止片２１２を第１係止孔３０１から離脱させつつ係止突起２１３ａを第２係止孔３０２から離脱させることができ、ブラケット部材２１をレール部材２４及び受部材２２とともに容易に取り外すことができ、該ブラケット部材２１等の清掃等を簡単に行うことができる。
【００６８】
以上、本発明の好適な実施の形態について説明したが、本発明はこれに限定されるものではなく、種々の変更を行うことができる。
【００６９】
上述した実施の形態では、棚板２３の後端部に着脱可能に設けた姿勢調整部材５０が姿勢調整手段を構成していたが、本発明においては、棚板が収納状態となる場合には、該棚板を傾斜姿勢にさせ、かつ棚板が引出状態となる場合には、該棚板を水平姿勢にさせることができれば、種々の形態を採用することができる。
【００７０】
上述した実施の形態では、姿勢調整部材５０は、下端部に傾斜面５１が形成されていたが、本発明においては、姿勢調整部材の端部には、それぞれ傾斜角度の異なる傾斜面が形成されていてもよい。これによれば、任意の端部を下端部となるように姿勢調整部材を設置することで傾斜姿勢となる棚板の商品載置面の傾斜角度を任意に変更させることができる。
【００７１】
上述した実施の形態では、ケース本体１０の後面１４に後面開口１４ａが形成されていたが、本発明においては、後面開口は、後面に揺動可能に設けられた扉体により開閉されるものであってもよい。
【符号の説明】
【００７２】
１０  ケース本体
１１  収納室
１２  前面
１４  後面
１４ａ  後面開口
２０  商品載置棚
２１  ブラケット部材
２１６  補強板
２２  受部材
２３  棚板
２４  レール部材
４０  係合部材
５０  姿勢調整部材
５１  傾斜面
【図１】
2018068568.tif 000003
【図２】
2018068568.tif 000004
【図３】
2018068568.tif 000005
【図４】
2018068568.tif 000006
【図５】
2018068568.tif 000007
【図６】
2018068568.tif 000008
【図７】
2018068568.tif 000009
【図８】
2018068568.tif 000010
【図９】
2018068568.tif 000011
【図１０】
2018068568.tif 000012
【図１１】
2018068568.tif 000013
【図１２】
2018068568.tif 000014
【図１３】
2018068568.tif 000015
【図１４】
2018068568.tif 000016
【図１５】
2018068568.tif 000017
【図１６】
2018068568.tif 000018
【図１７】
2018068568.tif 000019
【図１８】
2018068568.tif 000020